(57)【特許請求の範囲】
【請求項１】
底部に上向きかつ略水平な流出口を有した便鉢と、該流出口に連なるトラップ部とを有する洋風便器において、
該流出口の周囲の全周にわたって勾配２０°以下の低勾配部となっており、該低勾配部の内周縁部から外周縁部までの水平距離が２０ｍｍ以上であり、トラップ立上部（５ａ）側の便鉢内面の最下端部（４ｔ）を含む水平面（Ｓ）と前記流出口（４）の内面との交点から立てた鉛直線（ｆ）から前記低勾配部の内周縁（１０ｂ）までの水平距離Ｌ２が０〜２０ｍｍであることを特徴とする洋風便器。
【請求項２】
請求項１において、該低勾配部の勾配は０〜２０°であることを特徴とする洋風便器。
【請求項３】
請求項１又は２において、該低勾配部の内周縁部から外周縁部までの水平距離が２０〜１２０ｍｍであることを特徴とする洋風便器。
【請求項４】
請求項１ないし３のいずれか１項において、該流出口は略円形であることを特徴とする洋風便器。
【請求項５】
請求項１ないし４のいずれか１項において、該便鉢の上端に、便鉢内方に張り出したリム部が周設されており、
トラップ部が封水された状態における便鉢内の溜水面が、該リム部の略中央に位置し、
該流出口が、該溜水面の略中央に位置することを特徴とする洋風便器。
【請求項６】
請求項５において、該リム部から便鉢内面に沿って水が旋回して流下し、便鉢内面が洗浄されることを特徴とする洋風便器。
【請求項７】
請求項１ないし６のいずれか１項において、さらに該トラップ部の空気を吸引するための吸引装置を有することを特徴とする洋風便器。
【発明の詳細な説明】
【技術分野】
【０００１】
本発明は流出口を有した便鉢と該流出口に連なるトラップ部とを有する洋風便器に関する。
【背景技術】
【０００２】
洋風便器は、周知の通り、底部に流出口を有した便鉢と、該流出口に連なるトラップ部とを有している。
【０００３】
特開２００１−３１１２０７号公報には、便鉢の流出口の前方近傍領域が後方領域よりも勾配が緩くなっている洋風便器が記載されている。
【０００４】
第６図は同号公報の洋風便器の縦断面図である。第６図の通り、洋風便器２１は、底部に流出口２４を有した便鉢２２と、該流出口２４に連なるトラップ部２５とを有している。便鉢２２の上端に、便鉢内方に張り出したリム部２３が周設されている。該トラップ部２５は、流出口２４の下方から洋風便器２１の後部上方に向けて傾斜する立上部２５ａと、該立上部２５ａの上端から下方に立下する立下部２５ｂとを有している。該立下部２５ｂの下端は、図示しない排水ソケットを介して排水管に接続される。該立上部２５ａの下端にジェットノズル２６が設けられている。立上部２５ａは便鉢２の後壁により形成されている。該立上部２５ａの水平方向に対する傾斜角度θは４５°となっている。
【特許文献１】特開２００１−３１１２０７号公報
【発明の開示】
【発明が解決しようとする課題】
【０００５】
上記特開２００１−３１１２０７号公報の洋風便器２１にあっては、便鉢２２の流出口２４の周囲が急勾配となっている。即ち、流出口２４の周囲のうち便鉢２２の後壁側の勾配は約４５°になっている。また、前壁側の勾配も勾配が比較的大きなものとなっている。
【０００６】
このため、該洋風便器１の使用後に便器洗浄を行う際、第７図のようにサイホン排出流形成工程の終期において便鉢２２内の水位が低下したときに、リム部２３から便鉢２２の内壁に供給された洗浄水は急勾配な便鉢２２の内面に沿って勢いよくトラップ部２５内に流入する。これにより、便鉢２２内の水位は急激に低下し、トラップ部２５内に空気ａが一気に入って破封する。このため、サイホン現象が早期に終了し、汚物排出が不十分になるおそれがある。また、サイホン現象の終了時に大きな破封音が発生する。
【０００７】
本発明は、サイホンが長時間継続し、汚物排出能力の高く、破封音も小さい洋風便器を提供することを目的とする。
【課題を解決するための手段】
【０００８】
請求項１の洋風便器は、底部に上向きかつ略水平な流出口を有した便鉢と、該流出口に連なるトラップ部とを有する洋風便器において、該流出口の周囲の全周にわたって勾配２０°以下の低勾配部となっており、該低勾配部の内周縁部から外周縁部までの水平距離が２０ｍｍ以上であり、トラップ立上部（５ａ）側の便鉢内面の最下端部（４ｔ）を含む水平面（Ｓ）と前記流出口（４）の内面との交点から立てた鉛直線（ｆ）から前記低勾配部の内周縁（１０ｂ）までの水平距離Ｌ２が０〜２０ｍｍであることを特徴とするものである。
【０００９】
請求項２の洋風便器は、請求項１において、該低勾配部の勾配は０〜２０°であることを特徴とするものである。
【００１０】
請求項３の洋風便器は、請求項１又は２において、該低勾配部の内周縁部から外周縁部までの水平距離が２０〜１２０ｍｍであることを特徴とするものである。
【００１１】
請求項４の洋風便器は、請求項１ないし３のいずれか１項において、該流出口は略円形であることを特徴とするものである。
【００１２】
請求項５の洋風便器は、請求項１ないし４のいずれか１項において、該便鉢の上端に、便鉢内方に張り出したリム部が周設されており、トラップ部が封水された状態における便鉢内の溜水面が、該リム部の略中央に位置し、該流出口が、該溜水面の略中央に位置することを特徴とするものである。
【００１３】
請求項６の洋風便器は、請求項５において、該リム部から便鉢内面に沿って水が旋回して流下し、便鉢内面が洗浄されることを特徴とするものである。
【００１４】
請求項７の洋風便器は、請求項１ないし６のいずれか１項において、さらに該トラップ部の空気を吸引するための吸引装置を有することを特徴とするものである。
【発明の効果】
【００１５】
本発明の洋風便器は、流出口の周囲の全周にわたって勾配２０°以下の低勾配部となっており、該低勾配部の内周縁部から外周縁部までの水平距離が２０ｍｍ以上となっている。このため、サイホン排出流形成工程の終期において便鉢内の水位が流出口近傍まで低下したときに、リム部から便鉢内を流下する洗浄水は低勾配部において水流方向が水平方向側に変化し、水面の鉛直方向の下降速度が遅くなる。このため、洗浄水がトラップ部の下方に向って勢いよく流入して便鉢内の水位が急激に低下することが防止され、サイホン現象が長期にわたって継続し、汚物排出能力が向上する。また、サイホン現象の終了時に大きな破封音が発生することが防止される。
【００１６】
本発明において、低勾配部の勾配は０〜２０°であることが好ましい。０°以上であると低勾配部に汚物が残留することが防止され、２０°以下であるとトラップ部が急激に破封することがより確実に防止される。
【００１７】
本発明において、低勾配部の内周縁部から外周縁部までの水平距離が２０〜１２０ｍｍであることが好ましい。２０ｍｍ以上であるとトラップ部が急激に破封することがより確実に防止される。１２０ｍｍ以下であると、汚物が流出口に向って流れ込み易くなる。
【００１８】
本発明において、流出口は略円形であることが好ましい。これにより、破封時まで流出口付近に旋回流が形成され易くなり、便鉢２内の汚物の排出特性が向上する。
【００１９】
本発明において、便鉢の上端に、便鉢内方に張り出したリム部が周設されており、トラップ部が封水された状態における便鉢内の溜水面が、該リム部の略中央に位置し、該流出口が、該溜水面の略中央に位置することが好ましい。この場合、便鉢前後方向及び左右方向において、リム部から溜水面までの距離がほぼ等しくかつ溜水面から流出口までの距離がほぼ等しいため、溜水が偏って吸引されることがなくなり汚物の排出能力が向上する。
【００２０】
該リム部から便鉢内面に沿って水が旋回して流下し、便鉢内面が洗浄される場合、便鉢内面が良好に洗浄される。
【００２１】
本発明の洋風便器は、トラップ部の空気を吸引するための吸引装置を有する場合においてより効果的である。即ち、吸引装置によってトラップ部内の空気が吸引されてトラップ部内に負圧が生じると、吸引装置がない場合と比べて便鉢内の溜水面がより急激に低下する。この場合にあっても、便鉢内を流下する洗浄水は低勾配部において水流方向が水平方向側に変化し、水面の鉛直方向の下降速度が遅くなる。このため、洗浄水がトラップ部の下方に向って勢いよく流入して便鉢内の水位が急激に低下することが確実に防止され、サイホン現象が長期にわたって継続し、汚物排出能力が向上する。
【発明を実施するための最良の形態】
【００２２】
以下、図面を参照して本発明の実施の形態を詳細に説明する。第１図は実施の形態に係る洋風便器の縦断面図、第２図は第１図の洋風便器の平面図、第３図は第２図のIII−III線に沿う断面図、第４図は第１図の流出口部分の拡大図、第５図は洗浄動作説明図である。
【００２３】
洋風便器１は、底部に上向きかつ略水平な流出口４を有した便鉢２と、該流出口４に連なるトラップ部５とを有している。該トラップ部５は、流出口４の下方から洋風便器１の後部上方に向けて立ち上がる立上部５ａと、該立上部５ａの上端から下方に延在する立下部５ｂとを有している。第１図において、立上部５ａと立下部５ｂとの境界の最下部が頂端５ｃとなっている。該頂端５ａの高さまで便鉢２内が溜まったときにおける該便鉢２の水面が溜水面１１である。
【００２４】
便鉢２の上端に、便鉢内方に張り出したリム部３が周設されている。リム部３の便鉢後部右側に吐水口１２が設けられている。この吐水口１２はリム部３の長手方向に向って開口している。この実施の形態ではリム部３は、上面３ａ及び内周面３ｂにて構成されているが、上面３ａのみで構成されてもよい。
【００２５】
洋風便器１の上部後端はロータンク３０を載置するためのロータンク載置部１ｒとなっている。ロータンク載置部１ｒに載置されたロータンク３０とリム部３とは、図示しないディストリビュータを介して接続されている。このディストリビュータは、リム部３に片回り方向に水を供給するよう構成されている。該ロータンク３０内に吸引装置４０が設けられ、該吸引装置４０の底部と吐水口１２とが導管４１によって接続されている。
【００２６】
第４図を参照して、流出口周囲の低勾配部の範囲の定義について説明する。
【００２７】
４ｔは、トラップ立上部５ａ側の便鉢２の内面の最下端部であり、便鉢内の水はこの最下端部４ｔ付近を回り込んでトラップ立上部５ａに流れる。
【００２８】
Ｓは、この最下端部４ｔを含む水平面である。
【００２９】
ｆは、この水平面Ｓと流出口４の内面との交点から立てた鉛直線である。
【００３０】
１０ａは、低勾配部１０の外周縁であり、この外周縁１０ａよりも外側では便鉢内面の勾配は２０°を超えている。
【００３１】
１０ｂは、低勾配部１０の内周縁であり、これよりも外周側では便鉢内面の勾配が２０°以下である。該内周縁１０ｂよりも流出口中心側では、勾配が２０°を超えている。
【００３２】
低勾配部１０は、該内周縁１０ｂから外周縁１０ａまでの範囲である。
【００３３】
Ｌは内周縁１０ｂから外周縁１０ａまでの水平距離であり、Ｌ１は鉛直線ｆから外周縁１０ａまでの水平距離であり、Ｌ２は鉛直線ｆから内周縁１０ｂまでの水平距離である。
【００３４】
このＬは２０〜１２０ｍｍ特に５０〜１００ｍｍとりわけ５０〜８０ｍｍであることが好ましい。Ｌを２０ｍｍ以上とすることにより、便鉢２内の水がトラップ部５内に急激に流入して空気がトラップ部５に吸い込まれることが防止され、サイホンが長時間にわたって継続し、汚物排出能力が向上する。Ｌを１２０ｍｍ以下とすることにより、便鉢内の汚物がスムーズに流出口４へ流れ込むようになる。
【００３５】
Ｌ１は２０〜１４０ｍｍ特に６０〜９０ｍｍであることが好ましい。
【００３６】
Ｌ２は０〜２０ｍｍであり、特に５〜１０ｍｍであることが好ましい。
【００３７】
なお、この低勾配部１０は、その全体が溜水面１１よりも下位に位置することが望ましい。
【００３８】
本発明において、この低勾配部１０の勾配は好ましくは１０〜１５°である。１５°以上であると低勾配部１０に汚物が残留することが防止され、１０°以下であるとトラップ部が急激に破封することがより確実に防止される。
【００３９】
該流出口４は略円形となっている。また、溜水面１１がリム部３の略中央に位置し、流出口４が溜水面１１の略中央に位置している。
【００４０】
なお、略円形とは、流出口の便器前後方向の径（縦径）と便器左右方向の径（横径）との比（縦径／横径）が好ましくは０．８５〜１．２５特に０．９〜１．２とりわけ０．９５〜１．１であることを意味する。
【００４１】
このように構成された洋風便器１は、トイレルームの床面に固定され、トラップ部５の下流端が排水ソケット６を介して、図示しない床面内の排水管の端部に接続される。
【００４２】
この洋風便器１の便器洗浄時の状態について第５図（ａ），（ｂ）を参照して説明する。第５図（ａ）はサイホン排出流形成工程の初期の状態を示す縦断面図、第５図（ｂ）はサイホン排出流形成工程の終期の状態を示す縦断面図である。
【００４３】
第１図の状態において、フラッシュハンドルやフラッシュスイッチが操作されると、ロータンク３０内の水がリム部３に供給開始される。この水は、リム部３を周回方向に流れながら、徐々に便鉢２内に流れ落ち、便鉢２の内面を旋回しながら流下する。これに伴って、便鉢２内の水位及びトラップ部５内の水位が上昇してトラップ立上部５ａや立下部５ｂに溢流が開始する。また、トラップ部５内の空気が導管４１を介して吸引装置４０内に吸引され、トラップ部５内に負圧が形成される。これによりトラップ部５にサイホンが形成され、第５図（ａ）の通り、水がトラップ部５へ吸い出されるようにして排出され、便鉢２内の水位が低下し始める。
【００４４】
第５図（ａ）において、便鉢２内の水面は低勾配部１０より上方に位置している。ここで、便鉢前後方向及び左右方向において、リム部から水面までの距離はほぼ等しく、かつ水面から流出口４までの距離もほぼ等しいため、溜水が偏って吸引されることがなく、汚物とりわけ浮遊性の汚物ｂがスムーズに排出される。
【００４５】
第５図（ｂ）の通り、サイホン排出工程の終期には、便鉢２内の水面は流出口４の近傍まで低下する。このとき、リム部３から供給された洗浄水は、便鉢２の内面上部の急勾配に沿って流下するが、低勾配部１０において洗浄水の流れ方向が水平方向側に変化させられる。これにより、洗浄水が一気に流出口４からトラップ部５内に流れ込んで便鉢２内の水位が急激に低下することが防止される。このため、トラップ部５内が一気に破封することがなくなり、サイホン現象が長期にわたって継続し、汚物が十分に排出される。また、サイホンの終了時に吸い込まれる空気量も少ないので、破封音も小さい。
【００４６】
また、この実施の形態では、流出口４は略円形であるため、破封時まで流出口４の付近に強力な旋回流が形成され、便鉢２内の汚物が十分に排出される。
【００４７】
本発明は、上記実施の形態のように吸引装置を有し、便鉢の溜水面がきわめて急激に低下する場合により効果的である。
【００４８】
上記実施の形態は本発明の一例であり、本発明は上記実施の形態に限定されない。例えば、ロータンクを省略し、給水管から洋風便器に直接洗浄水を供給する水道水直結式の洋風便器としてもよい。
【図面の簡単な説明】
【００４９】
【図１】実施の形態に係る洋風便器の縦断面図である。
【図２】第１図の洋風便器の平面図である。
【図３】第２図のIII−III線に沿う断面図である。
【図４】第１図の洋風便器のサイホン排出流形成工程初期における状態を示す縦断面図である。
【図５】第１図の洋風便器のサイホン排出流形成工程終期における状態を示す縦断面図である。
【図６】従来の洋風便器の縦断面図である。
【図７】従来の洋風便器のサイホン排出流形成工程終期における状態を示す縦断面図である。
【符号の説明】
【００５０】
１  洋風便器
２  便鉢
３  リム部
４  流出口
５  トラップ部
６  排水ソケット
１０  低勾配部
１１  溜水面
【図１】
0004826890.tif 000002
【図２】
0004826890.tif 000003
【図３】
0004826890.tif 000004
【図４】
0004826890.tif 000005
【図５】
0004826890.tif 000006
【図６】
0004826890.tif 000007
【図７】
0004826890.tif 000008